(57)【要約】【課題】１表示単位にかかる電圧波形を最適化することで、所要のコントラスト比を得ることができる画像表示用パネルを提供する。【解決手段】少なくとも一方が透明な２枚の基板間に画像表示媒体を封入し、画像表示媒体に電界を付与することによって、画像表示媒体を移動させて画像を表示する画像表示用パネルにおいて、（１）１表示単位に印加される電圧の傾きが２００／ｓｅｃ以上となるようにするか（第１発明）、（２）駆動電圧／濃度（または反射率）の傾きが最も大きい電圧での電圧の立上がりの傾きが１０００／ｓｅｃ以上となるようにするか（第２発明）、または、（３）１表示単位の面積と１表示単位にかかる抵抗との積が２５００Ωｍ２以下となるようにする（第３発明）。【選択図】図４
2006058643.tif 000002
【特許請求の範囲】
【請求項１】
少なくとも一方が透明な２枚の基板間に画像表示媒体を封入し、画像表示媒体に電界を付与することによって、画像表示媒体を移動させて画像を表示する画像表示用パネルにおいて、１表示単位に印加される電圧の傾きが２００／ｓｅｃ以上となることを特徴とする画像表示用パネル。
【請求項２】
少なくとも一方が透明な２枚の基板間に画像表示媒体を封入し、画像表示媒体に電界を付与することによって、画像表示媒体を移動させて画像を表示する画像表示用パネルにおいて、駆動電圧／濃度（または反射率）の傾きが最も大きい電圧での電圧の立上がりの傾きが１０００／ｓｅｃ以上となることを特徴とする画像表示用パネル。
【請求項３】
少なくとも一方が透明な２枚の基板間に画像表示媒体を封入し、画像表示媒体に電界を付与することによって、画像表示媒体を移動させて画像を表示する画像表示用パネルにおいて、１表示単位の面積と１表示単位にかかる抵抗との積が２５００Ωｍ２以下となることを特徴とする画像表示用パネル。
【請求項４】
画像表示媒体が粒子群または粉流体からなることを特徴とする請求項１〜３のいずれか１項に記載の画像表示用パネル。
【発明の詳細な説明】
【技術分野】
【０００１】
本発明は、少なくとも一方が透明な２枚の基板間に画像表示媒体を封入し、画像表示媒体に電界を付与することによって、画像表示媒体を移動させて画像を表示する画像表示用パネルに関するものである。
【背景技術】
【０００２】
従来より、液晶（ＬＣＤ）に代わる画像表示装置として、電気泳動方式、エレクトロクロミック方式、サーマル方式、２色粒子回転方式等の技術を用いた画像表示装置が提案されている。
【０００３】
これら従来技術は、ＬＣＤと比較すると、通常の印刷物に近い広い視野角が得られる、消費電力が小さい、メモリー機能を有している等のメリットがあることから、次世代の安価な画像表示装置に使用可能な技術として考えられており、携帯端末用画像表示、電子ペーパー等への展開が期待されている。特に最近では、分散粒子と着色溶液から成る分散液をマイクロカプセル化し、これを対向する基板間に配置して成る電気泳動方式が提案され、期待が寄せられている。
【０００４】
しかしながら、電気泳動方式では、液中を粒子が泳動するために液の粘性抵抗により応答速度が遅くなるという問題がある。さらに、低比重の溶液中に酸化チタン等の高比重の粒子を分散させているため沈降しやすくなっており、分散状態の安定性維持が難しく、画像繰り返し安定性に欠けるという問題を抱えている。また、マイクロカプセル化にしても、セルサイズをマイクロカプセルレベルにして、見かけ上、上述した欠点が現れにくくしているだけであって、本質的な問題は何ら解決されていない。
【０００５】
一方、溶液中での挙動を利用する電気泳動方式に対し、溶液を使わず、導電性粒子と電荷輸送層とを基板の一部に組み入れる方式も提案され始めている（例えば、非特許文献１参照）。しかし、電荷輸送層、さらには電荷発生層を配置するために構造が複雑化するとともに、導電性粒子に電荷を一定に注入することは難しいため、安定性に欠けるという問題もある。
【０００６】
上述した種々の問題を解決するための一方法として、少なくとも一方が透明である２枚の対向する基板間に、画像表示媒体を封入した後、あるいは、隔壁により互いに隔離されたセルを形成し、セル内に画像表示媒体を封入した後、画像表示媒体に電界を与え、画像表示媒体を移動させて画像を表示する画像表示用パネルが知られている。
【非特許文献１】趙  国来、外３名、“新しいトナーディスプレイデバイス（Ｉ）”、１９９９年７月２１日、日本画像学会年次大会（通算８３回）“Japan Hardcopy’99”論文集、p.249-252
【発明の開示】
【発明が解決しようとする課題】
【０００７】
しかし、上述した画像表示用パネルでは、画像表示媒体に電界を付与するために電圧を基板に設けた電極に印加し画像を表示させているが、１表示単位の電極に印加される電圧の波形によっては、所要のコントラスト比が得られない問題があった。
【０００８】
本発明の目的は上述した問題点を解消して、１表示単位にかかる電圧波形を最適化することで、所要のコントラスト比を得ることができる画像表示用パネルを提供しようとするものである。
【課題を解決するための手段】
【０００９】
本発明の第１発明に係る画像表示用パネルは、少なくとも一方が透明な２枚の基板間に画像表示媒体を封入し、画像表示媒体に電界を付与することによって、画像表示媒体を移動させて画像を表示する画像表示用パネルにおいて、１表示単位に印加される電圧の傾きが２００／ｓｅｃ以上となることを特徴とするものである。
ここで、電圧の傾きとは、駆動電圧に達するまでの時間の逆数を意味する。
【００１０】
また、本発明の第２発明に係る画像表示用パネルは、少なくとも一方が透明な２枚の基板間に画像表示媒体を封入し、画像表示媒体に電界を付与することによって、画像表示媒体を移動させて画像を表示する画像表示用パネルにおいて、駆動電圧／濃度（または反射率）の傾きが最も大きい電圧での電圧の立上がりの傾きが１０００／ｓｅｃ以上となることを特徴とするものである。
【００１１】
さらに、本発明の第３発明に係る画像表示用パネルは、少なくとも一方が透明な２枚の基板間に画像表示媒体を封入し、画像表示媒体に電界を付与することによって、画像表示媒体を移動させて画像を表示する画像表示用パネルにおいて、１表示単位の面積と１表示単位にかかる抵抗との積が２５００Ωｍ２以下となることを特徴とするものである。
【００１２】
なお、本発明の第１発明〜第３発明に係る画像表示用パネルの好適例としては、画像表示媒体が粒子群または粉流体からなること、がある。
【発明の効果】
【００１３】
本発明では、画像表示媒体に電界を付与させるための駆動電圧を、（１）１表示単位に印加される駆動電圧の傾きが２００／ｓｅｃ以上となるようにして、印加することで（第１発明）、（２）駆動電圧／濃度（または反射率）の傾きが最も大きい電圧での駆動電圧の傾きが１０００／ｓｅｃ以上となるようにして、印加することで（第２発明）、または、（３）１表示単位の面積と１表示単位にかかる抵抗との積が２５００Ωｍ２以下となるようにして、印加したことで（第３発明）、いずれの場合も、画像表示用パネルを駆動するのに最適な駆動電圧波形を実現することができ、その結果、所要のコントラスト比を得ることができる。
【発明を実施するための最良の形態】
【００１４】
まず、本発明の対象となる画像表示用パネルの基本的な構成について説明する。本発明の画像表示用パネルでは、対向する２枚の基板間に封入した画像表示媒体に電界が付与される。付与された電界方向にそって、高電位側に向かっては低電位に帯電した画像表示媒体が電界による力やクーロン力などによって引き寄せられ、また、低電位側に向かっては高電位に帯電した画像表示媒体が電界による力やクーロン力などによって引き寄せられ、それら画像表示媒体が電位の切替による電界方向の変化によって往復運動することにより、画像表示がなされる。従って、画像表示媒体が、均一に移動し、かつ、繰り返し時あるいは保存時の安定性を維持できるように、画像表示用パネルを設計する必要がある。ここで、画像表示媒体を構成する粒子にかかる力は、粒子同士のクーロン力により引き付けあう力の他に、電極や基板との電気影像力、分子間力、液架橋力、重力などが考えられる。
【００１５】
本発明の対象となる画像表示用パネルの例を、図１（ａ）、（ｂ）〜図２（ａ）、（ｂ）に基づき説明する。
図１（ａ）、（ｂ）に示す例では、少なくとも１種以上の粒子から構成される色と帯電特性の異なる少なくとも２種類の画像表示媒体３（ここでは白色粒子３Ｗと黒色粒子３Ｂを示す）を、基板１、２の外部から加えられる電界に応じて、基板１、２と垂直に移動させ、黒色粒子３Ｂを観察者に視認させて黒色の表示を行うか、あるいは、白色粒子３Ｗを観察者に視認させて白色の表示を行っている。なお、図１（ｂ）に示す例では、図１（ａ）に示す例に加えて、基板１、２との間に例えば格子状に隔壁４を設け表示セルを画成している。
図２（ａ）、（ｂ）に示す例では、少なくとも１種以上の粒子から構成される色と帯電特性の異なる少なくとも２種類の画像表示媒体３（ここでは白色粒子３Ｗと黒色粒子３Ｂを示す）を、基板１に設けた電極５と基板２に設けた電極６との間に電圧を印加することにより発生する電界に応じて、基板１、２と垂直に移動させ、黒色粒子３Ｂを観察者に視認させて黒色の表示を行うか、あるいは、白色粒子３Ｗを観察者に視認させて白色の表示を行っている。なお、図２（ｂ）に示す例では、図２（ａ）に示す例に加えて、基板１、２との間に例えば格子状に隔壁４を設け表示セルを画成している。
以上の説明は、白色粒子３Ｗを白色粉流体に、黒色粒子３Ｂを黒色粉流体に、それぞれ置き換えた場合も同様に適用することが出来る。
【００１６】
本発明の第１発明〜第３発明に係る画像表示用パネルの特徴は、いずれの例においても、画像表示媒体に電界を付与するための駆動電圧を電極に印加する際の、駆動電圧の波形や電極の形状及び抵抗を最適化することで、所要のコントラスト比が得られる画像表示用パネルとしている点である。以下、発明毎に説明する。
【００１７】
＜第１発明＞
同じ構成の画像表示用パネルに対し、１表示単位に印加される電圧ＶをＶａとＶｂの２種類とし、様々な傾きの波形を有する電圧で黒表示と白表示とを行った際の濃度差＝黒濃度−白濃度を測定した。ここで、電圧の傾きとは、一例として図３に示す電圧Ｖの波形において、電圧Ｖに達する時間ｔの逆数１／ｔ（／ｓｅｃ）を示すものとした。結果を図４に示す。図４の結果から、電圧Ｖの値によらず、傾き２００までは濃度差が大きくなり、傾き２００以上では濃度差がほぼ一定となっていることがわかる。つまり、所定の濃度を得るには、電圧の傾きが２００／ｓｅｃ以上が必要であることがわかる。これから、画像表示媒体に電界を付与させるための電圧を、１表示単位に印加される電圧の傾きが２００／ｓｅｃ以上となるようにして、印加する必要があることがわかる。
【００１８】
＜第２発明＞
過渡電流によりコンデンサの静電容量と抵抗との積（時定数）が大きくなると、図５に示す式のように電圧Ｖの波形が変化することが知られている。本発明の対象となる画像表示用パネルも静電容量を持ち、コンデンサと同様に１表示単位の静電容量と抵抗との積が変化することで波形が変化することが新たに分かった。
【００１９】
一方、図６にその一例を示すように、画像表示用パネルの駆動電圧特性を表したγカーブが知られている。そして、図７にそのγカーブを微分した例を示すように、γカーブの微分は画像表示用パネルの駆動の変化量を表している。ここで、図７に示すγカーブの微分が最大値を示す電圧、言い換えると、駆動電圧／濃度（又は反射率）の傾きが最も大きい電圧Ｖｍａｘは、徐々に電圧を上げ駆動する系で最も多くコントラスト比が変化する、言い換えると、画像表示媒体が移動する電圧である。このことから、Ｖｍａｘで多くの画像表示媒体が移動しコントラスト比が大きく変化するので、Ｖｍａｘにおける電圧の波形の傾きが重要となる。
【００２０】
以上の検討から、同じ構成の画像表示用パネルに対し、１表示画像のコンデンサの静電容量と抵抗との積を３段階に変化させた画像表示用パネルをＶａ、Ｖｂ、Ｖｃの異なる電圧で駆動させ、そのＶｍａｘにおける電圧の傾き（／ｓｅｃ）と濃度差を測定した。結果を図８に示す。図８の結果から、Ｖｍａｘにおける電圧の傾きが１０００／ｓｅｃまでは徐々に濃度差が上昇し、１０００／ｓｅｃ以降一定になることがわかる。つまり、所定の濃度を得るには、Ｖｍａｘにおける傾きが１０００／ｓｅｃ以上必要であることがわかる。これから、駆動電圧／濃度（または反射率）の傾きが最も大きい電圧での電圧の立上がりの傾きが１０００／ｓｅｃ以上とする必要があることが分かる。
【００２１】
＜第３発明＞
上述した第２発明の説明で述べたように、電圧の波形の傾きは静電容量Ｃと抵抗Ｒとの積により決定される。ここで、静電容量Ｃは対向する電極の面積Ｓに比例することから、Ｖｍａｘより充分大きい電圧においては、Ｓ×Ｒを設計で規定することで、安定した濃度差（コントラスト比）の画像表示用パネルを得ることができる。結果を図１０に示す。図１０の結果から、Ｓ×Ｒは２５００Ωｍ２までは一定だが以降減少することがわかる。これから、１表示単位の面積と１表示単位にかかる抵抗との積が２５００Ωｍ２以下となるようにする必要があることがわかる。
【００２２】
以下、本発明の対象となる画像表示用パネルを構成する各部材について説明する。
【００２３】
基板については、少なくとも一方のパネルは装置外側から画像表示媒体の色が確認できる透明な基板１であり、可視光の透過率が高くかつ耐熱性の良い材料が好適である。基板２は透明でも不透明でもかまわない。基板材料を例示すると、ポリエチレンテレフタレート、ポリエーテルサルフォン、ポリエチレン、ポリカーボネート、ポリイミド、アクリルなどのポリマーシートや、金属シートのように可とう性のあるもの、および、ガラス、石英などの可とう性のない無機シートが挙げられる。基板の厚みは、２〜５０００μｍが好ましく、さらに５〜２０００μｍが好適であり、薄すぎると、強度、基板間の間隔均一性を保ちにくくなり、５０００μｍより厚いと、薄型画像表示用パネルとする場合に不都合がある。
【００２４】
必要に応じて基板に設ける電極の電極形成材料としては、アルミニウム、銀、ニッケル、銅、金等の金属類やＩＴＯ、酸化インジウム、導電性酸化錫、導電性酸化亜鉛等の導電金属酸化物類、ポリアニリン、ポリピロール、ポリチオフェンなどの導電性高分子類が例示され、適宜選択して用いられる。電極の形成方法としては、上記例示の材料をスパッタリング法、真空蒸着法、ＣＶＤ（化学蒸着）法、塗布法等で薄膜状に形成する方法や、導電剤を溶媒や合成樹脂バインダーに混合して塗布したりする方法が用いられる。視認側基板に設ける電極は透明である必要があるが、背面側基板に設ける電極は透明である必要がない。いずれの場合もパターン形成可能である導電性である上記材料を好適に用いることができる。なお、電極厚みは、導電性が確保でき光透過性に支障がなければ良く、３〜１０００ｎｍ、好ましくは５〜４００ｎｍが好適である。背面側基板に設ける電極の材質や厚みなどは上述した視認側基板に設ける電極と同様であるが、透明である必要はない。なお、この場合の外部電圧入力は、直流あるいは交流を重畳しても良い。
【００２５】
必要に応じて設ける隔壁４については、その形状は表示にかかわる画像表示媒体の種類により適宜最適設定され、一概には限定されないが、隔壁の幅は２〜１００μｍ、好ましくは３〜５０μｍに、隔壁の高さは１０〜５００μｍ、好ましくは１０〜２００μｍに調整される。また、隔壁を形成するにあたり、対向する両基板の各々にリブを形成した後に接合する両リブ法、片側の基板上にのみリブを形成する片リブ法が考えられる。本発明では、いずれの方法も好適に用いられる。
【００２６】
これらのリブからなる隔壁により形成される表示セルは、図１０に示すごとく、基板平面方向からみて四角状、三角状、ライン状、円形状、六角状が例示され、配置としては格子状やハニカム状や網目状が例示される。表示側から見える隔壁断面部分に相当する部分（表示セルの枠部の面積）はできるだけ小さくした方が良く、画像表示の鮮明さが増す。ここで、隔壁の形成方法を例示すると、金型転写法、スクリーン印刷法、サンドブラスト法、フォトリソ法、アディティブ法が挙げられる。このうち、レジストフィルムを用いるフォトリソ法や金型転写法が好適に用いられる。
【００２７】
次に、本発明の対象となる画像表示用パネルで用いる画像表示媒体としての粉流体について説明する。なお、本発明の画像表示媒体としての粉流体の名称については、本出願人が「電子粉流体（登録商標）」の権利を得ている。
【００２８】
本発明における「粉流体」は、気体の力も液体の力も借りずに、自ら流動性を示す、流体と粒子の特性を兼ね備えた両者の中間状態の物質である。例えば、液晶は液体と固体の中間的な相と定義され、液体の特徴である流動性と固体の特徴である異方性（光学的性質）を有するものである（平凡社：大百科事典）。一方、粒子の定義は、無視できるほどの大きさであっても有限の質量をもった物体であり、重力の影響を受けるとされている（丸善：物理学事典）。ここで、粒子でも、気固流動層体、液固流動体という特殊状態があり、粒子に底板から気体を流すと、粒子には気体の速度に対応して上向きの力が作用し、この力が重力とつりあう際に、流体のように容易に流動できる状態になるものを気固流動層体と呼び、同じく、流体により流動化させた状態を液固流動体と呼ぶとされている（平凡社：大百科事典）。このように気固流動層体や液固流動体は、気体や液体の流れを利用した状態である。本発明では、このような気体の力も、液体の力も借りずに、自ら流動性を示す状態の物質を、特異的に作り出せることが判明し、これを粉流体と定義した。
【００２９】
すなわち、本発明における粉流体は、液晶（液体と固体の中間相）の定義と同様に、粒子と液体の両特性を兼ね備えた中間的な状態で、先に述べた粒子の特徴である重力の影響を極めて受け難く、高流動性を示す特異な状態を示す物質である。このような物質はエアロゾル状態、すなわち気体中に固体状もしくは液体状の物質が分散質として安定に浮遊する分散系で得ることができ、本発明の画像表示装置で固体状物質を分散質とするものである。
【００３０】
本発明の対象となる画像表示用パネルは、少なくとも一方が透明な、対向する基板間に、画像表示媒体として例えば気体中に固体粒子が分散質として安定に浮遊するエアロゾル状態で高流動性を示す粉流体を封入するものであり、このような粉流体は、低電圧の印加でクーロン力などにより容易に安定して移動させることができる。
本発明に例えば用いる粉流体とは、先に述べたように、気体の力も液体の力も借りずに、自ら流動性を示す、流体と粒子の特性を兼ね備えた両者の中間状態の物質である。この粉流体は、特にエアロゾル状態とすることができ、本発明の画像表示装置では、気体中に固体状の物質が分散質として比較的安定に浮遊する状態で用いられる。
【００３１】
次に、本発明の対象となる画像表示用パネルで用いる画像表示媒体としての粒子について説明する。粒子は、その主成分となる樹脂に、必要に応じて、従来と同様に、荷電制御剤、着色剤、無機添加剤等を含ますことができる。以下に、樹脂、荷電制御剤、着色剤、その他添加剤を例示する。
【００３２】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００３３】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００３４】
着色剤としては、以下に例示するような、有機または無機の各種、各色の顔料、染料が使用可能である。
【００３５】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００３６】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダスレンブリリアントオレンジＲＫ、ベンジジンオレンジＧ、インダスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００３７】
体質顔料としては、バライト粉、炭酸バリウム、クレー、シリカ、ホワイトカーボン、タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００３８】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。
【００３９】
また、本発明の画像表示用パネルで用いる画像表示媒体として用いる粒子は平均粒子径d(0.5)が、０．１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために粒子の移動に支障をきたすようになる。
【００４０】
更に本発明では、各粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各粒子のサイズが揃い、均一な粒子移動が可能となる。
【００４１】
さらにまた、各粒子の相関について、使用した粒子の内、最大径を有する粒子のd(0.5)に対する最小径を有する粒子のd(0.5)の比を５０以下、好ましくは１０以下とすることが肝要である。
【００４２】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.）測定機を用いて、窒素気流中に粒子を投入し、付属の解析ソフト（Mie理論を用いた体積基準分布を基本としたソフト）にて、粒子径および粒子径分布の測定を行なうことができる。
【００４３】
画像表示媒体を構成する粒子の帯電量は当然その測定条件に依存するが、画像表示用パネルにおける画像表示媒体を構成する粒子の帯電量はほぼ、初期帯電量、隔壁との接触、基板との接触、経過時間に伴う電荷減衰に依存し、特に画像表示媒体を構成する粒子の帯電挙動の飽和値が支配因子となっているということが分かった。
【００４４】
更に、本発明において粒子群または粉流体を画像表示媒体として用いる場合は、基板間の画像表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下、更に好ましくは３５％RH以下とすることが重要である。
この空隙部分とは、図１（ａ）、（ｂ）〜図２（ａ）、（ｂ）において、対向する基板１、基板２に挟まれる部分から、電極５、６、画像表示媒体（粒子群あるいは粉流体３）の占有部分、隔壁４の占有部分（隔壁を設けた部分）、画像表示用パネルシール部分を除いた、いわゆる画像表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように画像表示用パネルに封入することが必要であり、例えば、画像表示媒体の充填、画像表示用パネルの組み立てなどを所定湿度環境下にて行い、さらに、外からの湿度侵入を防ぐシール材、シール方法を施すことが肝要である。
【００４５】
本発明の対象となる画像表示用パネルにおける基板と基板との間隔は、画像表示媒体が移動できて、コントラストを維持できればよいが、通常１０〜５００μｍ、好ましくは１０〜２００μｍに調整される。
対向する基板間の空間における画像表示媒体の体積占有率は５〜７０％が好ましく、さらに好ましくは５〜６０％である。７０％を超える場合には画像表示媒体の移動の支障をきたし、５％未満の場合にはコントラストが不明確となり易い。
【実施例】
【００４６】
以下、第２発明及び第３発明に関連する実験について説明する。
【００４７】
＜第２発明及び第３発明について＞
まず、図１１に示す画像表示用パネルの構成において、以下の表１に示すパネル仕様のもと、以下の表２に示す表示Ｎｏ．１〜６の表示単位面積と配線電極長さを持つパネルを作製し、１２０Ｖで駆動し白／黒コントラストを測定したところ、Ｓ×Ｒが２５００（Ωｍ２）以下の表示では傾きが１０００（１／ｓｅｃ）以上になり、コントラストは高い状態を維持しているが、Ｓ×Ｒが２５００（Ωｍ２）を超える表示では傾きが１０００（１／ｓｅｃ）未満となり、コントラストが１０〜３０％低下しておりコントラストのムラが７０％であった。
【００４８】
以下の表２のデータから、まず、第２発明に係るＶｍａｘでの傾きと第３発明に係るＳ×Ｒとの間には、Ｓ×Ｒが高くなるとＶｍａｘでの傾きが低くなる関係があることがわかる。表２のデータから第２発明に係るＶｍａｘでの傾きとコントラストとの関係を図１２に示すとともに、表２のデータから第３発明に係るＳ×Ｒとコントラストとの関係を図１３に示す。
【００４９】
【表１】
2006058643.tif 000003
【００５０】
【表２】
2006058643.tif 000004
【００５１】
＜第３発明の改良手段について＞
まず、以下の表３に示すパネル仕様のもと、以下の表４に示す表示Ｎｏ．１１〜２１の表示単位面積と配線電極をもつパネルを設計したところ、Ｎｏ．１２の表示においてＳ×Ｒが２５００（Ωｍ２）以上の表示があることがわかったため、以下の表５に示すようにＮｏ．１２の表示の部分に対する配線電極の幅のみ２０μｍから８０μｍに変更し、更に抵抗値を下げるためＮｏ．１１〜２１の全ての例においてシート抵抗の低い電極材料を前面に採用した（３０Ω／ｍｍ２→１０Ωｍｍ２）。８０Ｖで駆動したところ、以下の表５に示すように、コントラストが均一な表示を行うことができた。このように、第２発明に係るＳ×Ｒの調整に、配線電極の幅を大きくすること、及び、シート抵抗の低い電極材料を仕様すること、が有効であることがわかる。
【００５２】
【表３】
2006058643.tif 000005
【００５３】
【表４】
2006058643.tif 000006
【００５４】
【表５】
2006058643.tif 000007
【産業上の利用可能性】
【００５５】
本発明の対象となる画像表示用パネルは、ノートパソコン、ＰＤＡ、携帯電話、ハンディターミナル等のモバイル機器の表示部、電子ブック、電子新聞等の電子ペーパー、看板、ポスター、黒板等の掲示板、電卓、家電製品、自動車用品等の表示部、ポイントカード、ＩＣカード等のカード表示部、電子広告、電子ＰＯＰ、電子値札、電子楽譜、ＲＦ−ＩＤ機器の表示部などに好適に用いられる。
【図面の簡単な説明】
【００５６】
【図１】（ａ）、（ｂ）はそれぞれ本発明の対象となる画像表示用パネルの一例を示す図である。
【図２】（ａ）、（ｂ）はそれぞれ本発明の対象となる画像表示用パネルの他の例を示す図である。
【図３】本発明の画像表示用パネルの駆動における電圧波形の一例を説明するための図である。
【図４】本発明の画像表示用パネルの駆動における傾きと濃度差との関係を示すグラフである。
【図５】本発明の画像表示用パネルの駆動における駆動電圧の波形の変化を示すグラフである。
【図６】本発明の画像表示用パネルの駆動における駆動電圧とコントラスト比との関係を示すグラフである。
【図７】本発明の画像表示用パネルの駆動おける駆動電圧と微分値との関係を示すグラフである。
【図８】本発明の画像表示用パネルの駆動における傾きと濃度差との関係を示すグラフである。
【図９】本発明の画像表示用パネルの駆動におけるＳ×Ｒと濃度差との関係を示すグラフである。
【図１０】本発明の対象となる画像表示用パネルにおける隔壁の形状の一例を示す図である。
【図１１】実施例で用いる画像表示用パネルの一例の構成を示す図である。
【図１２】本発明の実施例の結果から第２発明に係るＶｍａｘでの傾きとコントラストとの関係を示すグラフである。
【図１３】本発明の実施例の結果から第３発明に係るＳ×Ｒとコントラストとの関係を示すグラフである。
【符号の説明】
【００５７】
１、２  基板
３  画像表示媒体（粒子群または粉流体）
３Ｗ  白色粒子群
３Ｂ  黒色粒子群
４  隔壁
５、６  電極
【図１】
2006058643.tif 000008
【図２】
2006058643.tif 000009
【図３】
2006058643.tif 000010
【図４】
2006058643.tif 000011
【図５】
2006058643.tif 000012
【図６】
2006058643.tif 000013
【図７】
2006058643.tif 000014
【図８】
2006058643.tif 000015
【図９】
2006058643.tif 000016
【図１０】
2006058643.tif 000017
【図１１】
2006058643.tif 000018
【図１２】
2006058643.tif 000019
【図１３】
2006058643.tif 000020